(57)【特許請求の範囲】
【請求項１】
ユーザ端末と、サーバと、がインターネットに接続されており、不動産の間取り図に、間取りの寸法が表示され、間取りに合った広告を配信する間取り図広告配信方法であって、
ユーザ端末にて、不動産の間取り図を間取り図取込手段に取り込む、及び／又は、間取り図を間取り図書込手段により書き込むステップと、
ユーザ端末、又は、サーバにて、前記間取り図取込手段により取り込まれた間取り図を、及び／又は、前記間取り図書込手段により書き込まれた間取り図を、間取り図記憶手段に記憶するステップと、
ユーザ端末にて、前記間取り図記憶手段に記憶された間取り図に少なくとも一か所の計測値を入力手段により入力するステップと、
ユーザ端末、又は、サーバにて、前記計測値が入力されると、間取り図の各部の寸法が寸法算出手段により算出されるステップと、
ユーザ端末、又は、サーバにて、前記算出された間取り図の各部の寸法を、前記間取り図に対して寸法記入手段により記入するステップと、
ユーザ端末、又は、サーバにて、前記寸法記入手段により間取り図の各部の寸法が記入された間取り図を、間取り図寸法記憶手段に記憶するステップと、
上記いずれかのステップにおいて、ユーザの家具や家電等の個別物品のユーザ嗜好（ユーザインテリア嗜好）を入力するステップと、を有し、
ユーザ端末、又は、サーバにて、前記間取り図寸法記憶手段に記憶された間取り図の各部の寸法が記入された間取り図と、入力された前記ユーザ嗜好と、に関連した広告を広告関連手段により関連づけるステップと、
ユーザ端末にて、前記広告関連手段により前記広告が関連づけされた間取り図を表示手段により表示するステップと、
を有することを特徴とする間取り図広告配信方法。
【請求項２】
前記書き込むステップの前のステップに、ユーザ端末にて任意のユーザ情報をユーザ登録記憶手段に登録するステップを有することを特徴とする請求項１に記載の間取り図広告配信方法。
【請求項３】
前記一か所の計測値を入力手段により入力するステップの前のステップにおいて、不動産の間取りの少なくとも一か所の寸法の計測値を寸法採寸手段により採寸するステップを有することを特徴とする請求項１〜２に記載の間取り図広告配信方法。
【請求項４】
前記ユーザ端末に表示された広告はバナー広告であって、このバナー広告には、家具、家電等の個別物品が表示されるバナー、及び／又は、家具、家電等の個別物品の選択を依頼する依頼画面が表示されるバナーと、を有することを特徴とする請求項１〜３に記載の間取り図広告配信方法。
【請求項５】
前記家具、家電等の個別物品の選択を依頼する依頼画面が表示されるバナーを選択すると、間取り図に合った個別物品をサーバ、又は、ユーザ端末が自動的に選択する自動選択ボタンと、間取り図に合った個別物品をインテリアコーディネータに選択を依頼するコーディネーター選択ボタンが表示され、
ユーザ端末が自動的に選択する自動選択ボタンを選択すると間取り図に合った個別物品を自動的に選択するステップが実行され、間取り図に合った個別物品をインテリアコーディネータに選択を依頼するコーディネーター選択ボタンを選択すると、インテリアコーディネータに間取り図が配信されるステップが実行されることを特徴とする請求項４に記載の間取り図広告配信方法。
【請求項６】
前記請求項５に記載の間取り図広告配信方法において、個別物品の選択条件には、前記ユーザ嗜好（ユーザインテリア嗜好）が含まれることを特徴とする間取り図広告配信方法。
【請求項７】
前記請求項５〜６に記載の間取り図広告配信方法において、前記個別物品を自動的に選択するステップが実行された後に、前記間取り図に合った個別物品をインテリアコーディネータに選択を依頼するコーディネーター選択ボタンが表示され、前記個別物品をインテリアコーディネータに選択を依頼するステップが実行可能であり、また、前記個別物品をインテリアコーディネータに選択を依頼するステップが実行された後に、間取り図に合った個別物品をサーバ、又は、ユーザ端末の処理により、ユーザ端末に自動的に選択する自動選択ボタンが表示され、前記個別物品を自動的に選択するステップを実行可能とする間取り図広告配信方法。
【請求項８】
前記個別物品を自動的に選択するステップ、又は、前記個別物品をインテリアコーディネータに選択を依頼するステップを実行した後に、再度個別物品をサーバ、又は、ユーザ端末の処理により、ユーザ端末に自動的に選択する自動選択ボタンが表示されることを特徴とした請求項７に記載の間取り図広告配信方法。
【請求項９】
前記個別物品を自動的に選択するステップ、又は、前記個別物品をインテリアコーディネータに選択を依頼するステップを実行した後に、再度個別物品をサーバ、又は、ユーザ端末の処理により、ユーザ端末に前記間取り図に合った個別物品をインテリアコーディネータに選択を依頼するコーディネーター選択ボタンが表示されることを特徴とした請求項７〜８に記載の間取り図広告配信方法。
【発明の詳細な説明】
【技術分野】
【０００１】
本発明は、不動産の間取り図の各部に寸法を記入し、間取り図の寸法に合った家電や家具などの広告を行う方法に関する。
【背景技術】
【０００２】
近年、インターネットの普及に伴い、不動産、例えば、賃貸物件の情報が賃貸物件サイトに登録され、ユーザが各種条件を設定し、ユーザの各種条件に適合した多々の賃貸物件を抽出できるようになっている。
【０００３】
そして、特許文献１に記載には、賃貸物件の間取りの全ての寸法を計測し、ソフトウェアにて間取り図にすべての寸法を反映させて間取り図を作成し、その間取り図に家具や家電を配置するという技術が開示されている。
【先行技術文献】
【特許文献】
【０００４】
【特許文献１】特開２００２−９２１２６号公報
【発明の概要】
【発明が解決しようとする課題】
【０００５】
しかしながら、上記従来技術には２点の問題があった。
１点目は、従来技術は、間取りのすべての寸法を把握したうえで入力手段を用いてソフトウェア上で間取り図を作成しなくてはならないという寸法入りの間取り図作成の煩雑さがあった。
そして、２点目は、間取り図に家具や家電等の個別物品をインテリアシミュレータにより選択・配置し、シミュレーションすることは可能であったが、ユーザの好みに合わせたインテリアコーディネートができるものではなかった。
【０００６】
このように従来技術には、住みたい物件、すなわち間取りに、寸法入りの間取り図を作成し、家具や家電等の個別物品のインテリアコーディネートまで出来る作業をスムーズに行うことが出来なかったため、例え多々の住みたい物件の候補が挙がったとしても、その物件に対して、家具や家電等の個別物品まで配置した生活態様までを具現化するために大きな手間がかかり、物件探しの楽しみ・便宜が失われていた。
【０００７】
そこで、本願発明では、容易に寸法入り間取り図を作成でき、かつ、作成した寸法入り間取り図に対して、ユーザの生活や嗜好に合った家具、家電等の個別物品を容易に選定できる方法を提供することを目的とする。
【発明の効果】
【０００８】
本願発明により、家具や家電等の個別物品まで配置した生活態様までを具現化する流れが極めてスムーズになるため、多々の候補の物件からユーザの嗜好に合った物件を探す選定の精度が向上すると同時に、多々の候補の物件からユーザの嗜好に合った物件を探す行為に対して煩雑ではなく、楽しみ・便宜が得られる効果を奏する。
【課題を解決するための手段】
【０００９】
本願発明は、ユーザ端末と、サーバと、がインターネットに接続されており、不動産の間取り図に、間取りの寸法が表示され、間取りに合った広告を配信する間取り図広告配信方法であって、ユーザ端末にて、不動産の間取り図を間取り図取込手段に取り込む、及び／又は、間取り図を間取り図書込手段により書き込むステップと、ユーザ端末、又は、サーバにて、取込手段により取り込まれた、及び／又は、間取り図を書込手段により書き込まれた間取り図を間取り図記憶手段に記憶するステップと、ユーザ端末にて、間取り図記憶手段に記憶された間取り図に少なくとも一か所の計測値を入力手段により入力するステップと、ユーザ端末、又は、サーバにて、計測値が入力されると、間取り図の各部の寸法が寸法算出手段により算出されるステップと、ユーザ端末、又は、サーバにて、算出された間取り図の各部の寸法を、間取り図に対して寸法記入手段により、記入するステップと、ユーザ端末、又は、サーバにて、寸法記入手段により間取り図の各部の寸法が記入された間取り図を、間取り図寸法記憶手段に記憶するステップと、ユーザ端末、又は、サーバにて、間取り図寸法記憶手段に記憶された間取り図の各部の寸法が記入された間取り図に対して広告関連手段により広告を関連づけるステップと、を有することを特徴とする間取り図広告配信方法である。
【００１０】
書き込むステップの前のステップに、ユーザ端末にて、任意のユーザ情報をユーザ登録記憶手段に登録するステップを有することを特徴とする間取り図広告配信方法である。
【００１１】
間取り図作成方法のいずれかのステップにおいて、不動産の間取りの少なくとも一か所の寸法の実測値を寸法採寸手段により採寸するステップを有することを特徴とする間取り図広告方法である。
【００１２】
広告関連手段により広告を関連づけるステップは、寸法が入力された間取り図が間取り図寸法記憶手段に記憶された後に間取り図に広告を関連づけるステップ、及び／又は、寸法が入力された間取り図が作成され、間取り図寸法記憶手段に記憶される前に寸法が入力された間取り図に広告に関連づけるステップ、を有することを特徴とする間取り図広告配信方法である。
【００１３】
本願発明は、ユーザ端末と、サーバと、がインターネットに接続されており、不動産の間取り図に、間取りの寸法が表示され、間取りに合った広告を配信する間取り図広告配信方法であって、ユーザ端末にて、不動産の間取り図を間取り図取込手段に取り込む、及び／又は、間取り図を書込手段により書き込むステップと、ユーザ端末、又は、サーバにて、取込手段により取り込まれた、及び／又は、間取り図を書込手段により書き込まれた間取り図を間取り図記憶手段に記憶するステップと、ユーザ端末にて、間取り図記憶手段に記憶された間取り図に少なくとも一か所の計測値を入力手段により入力するステップと、ユーザ端末、又は、サーバにて、計測値が入力されると、間取り図の各部の寸法が寸法算出手段により算出されるステップと、ユーザ端末、又は、サーバにて、前記算出された間取り図の各部の寸法を、間取り図に対して寸法記入手段により、記入するステップと、ユーザ端末、又は、サーバにて、寸法記入手段により間取り図の各部の寸法が記入された間取り図を、間取り図寸法記憶手段に記憶するステップと、ユーザ端末、又は、サーバにて、間取り図寸法記憶手段に記憶された間取り図の各部の寸法が記入された間取り図に対して広告関連手段により広告を関連づけるステップと、ユーザ端末にて、広告が関連づけされた間取り図を表示手段により表示するステップと、を有することを特徴とする間取り図広告配信方法である。
【００１４】
書き込むステップの前のステップに、ユーザ端末にて任意のユーザ情報をユーザ登録記憶手段に登録するステップを有することを特徴とする間取り図広告配信方法である。
【００１５】
間取り図作成方法のいずれかのステップにおいて、不動産の間取りの少なくとも一か所の寸法の計測値を寸法採寸手段により採寸するステップを有することを特徴とする間取り図広告方法である。
【００１６】
広告関連手段により広告を関連づけるステップは、寸法が入力された間取り図が間取り図寸法記憶手段に記憶された後に間取り図に広告を関連づけるステップ、及び／又は、寸法が入力された間取り図が作成され、間取り図寸法記憶手段に記憶される前に寸法が入力された間取り図に広告に関連づけるステップ、を有することを特徴とする間取り図広告配信方法である。
【００１７】
ユーザ端末に表示された広告はバナー広告であって、このバナー広告には、家具、家電等の個別物品が表示されるバナー、及び／又は、家具、家電等の個別物品の選択を依頼する依頼画面が表示されるバナーと、を有することを特徴とする間取り図広告配信方法である。
【００１８】
間取り図広告配信方法のいずれかのステップにおいて、ユーザの家具や家電等の個別物品のユーザ嗜好（ユーザインテリア嗜好）を入力するステップを有することを特徴とする間取り図広告配信方法である。
【００１９】
家具、家電等の個別物品の選択を依頼する依頼画面が表示されるバナーを選択すると、間取り図に合った個別物品をサーバ、又は、ユーザ端末が自動的に選択する自動選択ボタンと、間取り図に合った個別物品をインテリアコーディネータに選択を依頼するコーディネーター選択ボタンが表示され、ユーザ端末が自動的に選択する自動選択ボタンを選択すると間取り図に合った個別物品を自動的に選択するステップが実行され、間取り図に合った個別物品をインテリアコーディネータに選択を依頼するコーディネーター選択ボタンを選択すると、インテリアコーディネータに間取り図が配信されるステップが実行されることを特徴とする間取り図広告配信方法である。
【００２０】
間取り図広告配信方法において、個別物品の選択条件には、ユーザ嗜好（ユーザインテリア嗜好）が含まれることを特徴とする間取り図広告配信方法である。
【００２１】
間取り図広告配信方法において、個別物品を自動的に選択するステップが実行された後に、間取り図に合った個別物品をインテリアコーディネータに選択を依頼するコーディネーター選択ボタンが表示され、個別物品をインテリアコーディネータに選択を依頼するステップが実行可能であり、また、個別物品をインテリアコーディネータに選択を依頼するステップが実行された後に、間取り図に合った個別物品をサーバ、又は、ユーザ端末の処理により、ユーザ端末に自動的に選択する自動選択ボタンが表示され、個別物品を自動的に選択するステップを実行可能とする間取り図広告配信方法である。
【００２２】
個別物品を自動的に選択するステップを実行した後に、再度個別物品をサーバ、又は、ユーザ端末の処理により、ユーザ端末に自動的に選択する自動選択ボタンが表示されることを特徴とした間取り図広告配信方法である。
【００２３】
本願発明は、不動産の間取り図に、間取りの測定値を記入する間取り図作成方法であって、不動産の間取り図を間取り図取込手段に取り込む、及び／又は、間取り図を書込手段により書き込むステップと、取込手段により取り込まれた、及び／又は、間取り図を書込手段により書き込まれた間取り図を間取り図記憶手段に記憶するステップと、間取り図記憶手段に記憶された間取り図に少なくとも一か所の計測値を入力手段により入力するステップと、計測値が入力されると、間取り図の各部の寸法が寸法算出手段により算出されるステップと、算出された間取り図の各部の寸法を、間取り図に対して寸法記入手段により、記入するステップと、寸法記入手段により間取り図の各部の寸法が記入された間取り図を、間取り図寸法記憶手段に記憶するステップと、をコンピュータに実行させる間取り図作成方法である。
【００２４】
間取り図作成方法のいずれかのステップにおいて、不動産の間取りの少なくとも一か所の計測値を採寸手段により採寸するステップを有することを特徴とする間取り図作成方法である。
【図面の簡単な説明】
【００２５】
【図１】本願発明のシステム概要図である。
【図２】間取り図システムサーバの概要図である。
【図３】ユーザ端末の概略図である。
【図４】広告企業サーバの概略図である。
【図５】インテリアコーディネータ端末の概略図である。
【図６】本願発明の方法の全体処理流れ図の概略図である。
【図７】ＳＴＥＰ１〜ＳＴＥＰ２のフローチャート図である。
【図８】ＳＴＥＰ１に対応するスタート画面図である。
【図９】ＳＴＥＰ２に対応するログイン画面図である。
【図１０】ＳＴＥＰ２に対応するユーザ登録の画面図である。
【図１１】ＳＴＥＰ２に対応するユーザ詳細登録の画面図である。
【図１２】ＳＴＥＰ２に対応するログイン後の画面図である。
【図１３】ＳＴＥＰ３のフローチャート図である。
【図１４】ＳＴＥＰ３に対応する間取り図取込、書込の画面図である。
【図１５】ＳＴＥＰ４に対応する間取り図寸法、広告、及び、コーディネート依頼画面図である。
【図１６】ＳＴＥＰ４〜ＳＴＥＰ５に対応する自動コーディネート提案の画面図である。
【図１７】ＳＴＥＰ４〜ＳＴＥＰ５に対応するインテリアコーディネータ提案の画面図である。
【発明を実施するための形態】
【００２６】
（システム概略図）
図１は、本願発明のシステム概略図である。
図１に示すように、インターネット３を介して、間取り図システムサーバ１と、ユーザ端末２と、広告企業サーバ４とインテリアコーディネータ端末５とが双方向通信を行い本願発明の方法を実現している。
【００２７】
（間取り図システムサーバ１）
図２は、間取り図システムサーバ１の概略図である。
間取り図システムサーバ１は一般的なサーバと同じくＰＣと同様のものであって、図示しないキーボード等の入力手段と、情報を表示するディスプレイ等の表示手段を有するものである。
【００２８】
そして、図２に示すように、間取り図システムサーバ１には、アプリ提供情報記憶送信手段６と、ユーザ情報登録手段７と、間取り図記憶手段８と、物件間取り図寸法情報記憶手段９と、寸法算出手段１０、寸法記入手段１１と、間取り図寸法記憶手段１２と、広告受信手段１３と、広告関連手段１４と、広告配信手段１５と、個別物品自動選択手段１６と、を有している。
【００２９】
（間取り図と測定値）
アプリ提供情報記憶送信手段６は、ユーザ端末２に本願発明の方法を実現するためのアプリケーションを提供するものである。
【００３０】
ユーザ情報登録手段７は、ユーザ端末から送信される各種ユーザ情報を登録するものである。
【００３１】
間取り図記憶手段８は、ユーザ端末から送信される間取り図を記憶するものである。
そして、物件間取り図寸法情報記憶手段９は、あらかじめ（不動産の情報として）、住所、マンション名等の各物件情報に紐づけされた間取りの寸法情報が記憶するものである。
寸法算出手段１０は、間取り図記憶手段８に記憶された間取り図の少なくとも一か所に測定値である寸法がユーザ端末の入力手段から入力されると、入力された寸法と間取り図の寸法未記入部分とのサイズを比較した後に演算して、寸法未記入の寸法を算出するものである。
寸法記入手段１１は、寸法算出手段１０で算出された間取り図各部の寸法を間取り図に記入するものである。
間取り図寸法記憶手段１２は、寸法記入手段１１で間取り図各部の寸法が記入された間取り図を記憶するものである。
【００３２】
（間取り図システムサーバ１の広告関連）
広告受信手段１３は、広告企業サーバ４から広告情報２４（詳細は後述する）を受信するものである。
広告関連手段１４は、広告企業サーバ４から受信した広告情報２４と、間取り図各部の寸法が記入された間取り図とを関連付けするものである。
【００３３】
この広告関連手段１４による間取り図と広告情報２４との関連付けは、間取り図各部の寸法や内装にあった家具や家電等の個別物品（４０１ｂ、４０２ｂ）を関連付けすることや、間取り図とは無関係に人気の高い個別物品（４０１ｂ、４０２ｂ）、一般的に汎用性の高い個別商品（４０１ｂ、４０２ｂ）を関連付けするなどがあり、かつ、実施の態様の他に一般的に行われている様々な関連付けが含まれるものとする。なお、個別物品（４０１ｂ、４０２ｂ）には家具や家電のみに限らず、調理器具、食器など部屋に配置するものすべてが含まれる。
【００３４】
広告配信手段１５は、各部の寸法が記入された間取り図と広告が関連付けされた情報、又は、各部の寸法が記入された間取り図をすでに取得ずみのユーザ端末に広告情報２４を、ユーザ端末２に配信する広告配信するものである。
【００３５】
個別物品自動選択手段１６は、間取り図各部の寸法にあった個別物品（４０１ｂ、４０２ｂ）を自動選択可能とするものである。この個別物品自動選択手段１６の自動選択手段は、ユーザ端末によりユーザのインテリアなどの嗜好を入力した場合、ユーザの嗜好に合う、及び／又は、内装に調和した個別物品（４０１ｂ、４０２ｂ）を自動選択することも可能である。
【００３６】
個別物品自動選択手段１６の自動選択手段の個別物品（４０１ｂ、４０２ｂ）の自動選択の方法は、間取り図各部の寸法に合う個別物品（４０１ｂ、４０２ｂ）を個別物品のテーブルデータから選択する方法や、間取り図各部の寸法に合い、かつ、ユーザの嗜好や広告閲覧履歴、物件の内装の各種情報に合致する個別物品（４０１ｂ、４０２ｂ）を周知のＡＩ（人工知能）が判断して選択する方法など、実施の態様の他に一般的に行われている様々な方法により選択を行う方法が含まれる。
【００３７】
なお、上述したユーザ登録記憶手段７、間取り図記憶手段８、寸法算出手段１０、寸法記憶手段１１、間取り図寸法記憶手段１２、広告関連手段１４、及び、個別物品自動選択手段１６の各機能の少なくとも１つがアプリ側、すなわちユーザ端末側に有していてもよい。
【００３８】
（ユーザ端末２）
図３は、ユーザ端末２の概略図である。
ユーザ端末２は、例えば、ＰＣ、スマートフォン、タブレットなどのユーザが使用する一般的な端末である。図示しないキーボードやタッチパネルなどの入力手段も当然有しているものである。
【００３９】
そして、図３に示すようにユーザ端末２には、各種の情報を表示する表示手段１７と、間取り図取込手段１８と、間取り図書込手段１９と、計測値採寸、ユーザ情報、広告選択、（インテリアコーディネート）依頼選択などの各種情報の入力を行う入力手段２０と、を有している。
【００４０】
間取り図取込手段１８は、インターネット不動産サイトの物件の間取り図の画像データを取り込むことや図示しないユーザ端末２のカメラで物件の間取り図を撮影して間取り図を取り込むものである。
間取り図書込手段１９は、ユーザ端末２にインストールされた間取り図アプリケーション内の間取り図書き込みツールを用いて書き込むことやユーザ端末２にあらかじめ格納されている汎用の図面作成アプリケーションを用いて間取り図を作成するものである。
【００４１】
（広告企業サーバ４）
図４は、広告企業サーバ４の概略図である。
広告企業サーバ４は、一般的なサーバと同じくＰＣと同様のものであって、図示しないキーボード等の入力手段と、情報を表示するディスプレイ等の表示手段を有するものである。
【００４２】
そして、図４に示すように、広告企業サーバ４には、広告情報記憶手段２１と、広告情報選定手段２２と、広告情報配信手段２３と、を有している。
【００４３】
広告情報記憶手段２１には、広告情報２４が格納されている。広告情報２４には、個別物品種別、図面では洗濯機単体が例示されているが、実際は例えば、冷蔵庫、電子レンジなどの多数の個別物品種別が格納されている。そして、個別物品の、推奨対象、色、形状、サイズ、人気度（図面では１／２６８は、２６８台中の１位の意味）など個別物品の特性情報が格納されている。これらに限らず、例えば、メーカー名、焼き物などの一点ものであれば作者や製作年など、個別物品の特性となる情報は全てを含むものとする。
また、広告情報２４は、個別物品種別単体ごとにテーブルデータとして図示されているが、広告情報２４のデータ構成としてテーブルデータに限らず、全てのデータ構成を含むものとする。また、広告情報２４は後述するインテリアコーディネータ端末で閲覧できるようにしてもよい。
【００４４】
広告情報選定手段２２は、広告情報記憶手段２１に格納されている広告情報２４の個別物品種別の選定・配置を行うものである。もちろん複数の個別物品種別の選定をするものとする。
広告情報２４の個別物品種別の選定・配置は、例えば、個別物品種別である洗濯機が売れやすいなどの売上履歴情報から、自動、及び／又は、手動にて、売れやすい個別物品種別を広告として上位、又は、下位に配置するなどの、広告戦略としての個別物品種別の選定及び広告内での配置を行うものである。
また、広告情報選定手段２２にて、間取り図システムサーバ１の間取り図寸法記憶手段１２に格納されている各部の寸法が記入された間取り図と広告情報２４に格納された個別物品種別の個別物品とを照合し、間取り図の寸法に合った個別物品を選定してもよい。
また、広告情報選定手段２２による広告情報２４の個別物品種別の選定・配置の処理を行うことは必須ではない。広告として、広告企業の個別商品を紹介するページのアドレスを各部の寸法が記入された間取り図の近辺に配置してもよい。
【００４５】
広告情報配信手段２３は、広告情報選定手段２２にて、個別商品が選定・配置された広告、及び／又は、上述した広告企業の個別商品を紹介するアドレスを、間取りシステムサーバ１、及び／又は、ユーザ端末２に送信するものである。広告としては、例えば個別商品が選定・配置されたバナー広告や、広告企業の個別商品を紹介する広告企業名だけ記載され、広告企業の個別商品を紹介するページへのアドレスがリンクされたバナー広告など、全ての態様の広告が含まれる。
【００４６】
（インテリアコーディネータ端末５）
図５は、インテリアコーディネータ端末５の概略図である。
インテリアコーディネータ端末５は、一般的なＰＣ、スマートフォン、タブレットなどと同様のものであって、図示しないタッチパネル、キーボード等の入力手段と、情報を表示するディスプレイ等の表示手段を有するものである。
【００４７】
そして、図５に示すように、インテリアコーディネータ端末５には、インテリアコーディネート依頼受信手段２５と、インテリアコーディネート入力手段２６と、インテリアコーディネート送信手段２７と、を有している。
【００４８】
インテリアコーディネート依頼受信手段２５は、後述するユーザ端末２の入力によりユーザからインテリアコーディネート、すなわち個別商品の選定依頼を受信するものである。ユーザ端末２、又は、間取り図システムサーバ１から、各部の寸法が記入された間取り図と共に、ユーザの家族構成、年齢、インテリアの嗜好、必須の個別物品などの希望などが、ユーザ情報として記載・登録されていた場合は、記載・登録されているユーザ登録情報もインテリアコーディネート依頼受信手段２５に送信される。
【００４９】
インテリアコーディネート入力手段２６は、インテリアコーディネータが、各部の寸法が記入された間取り図の各部の寸法に合い、かつ、ユーザの家族構成、年齢、インテリアの嗜好、必須または限定（トータルコーディネートの必要性がない）された個別物品などの希望などのユーザ情報として記載・登録されていた場合は、ユーザ登録情報に沿った個別商品の選定、すなわちインテリアコーディネートを行うものである。インテリアコーディネートを行う際に、広告企業サーバ４に格納された広告情報２４をインテリアコーディネータ端末で閲覧し、個別物品の選定を行ってもよい。
【００５０】
インテリアコーディネート送信手段２７は、インテリアコーディネート入力手段２６により行われたインテリアコーディネート情報をユーザ端末２、又は、間取り図システムサーバ１に送信するものである。これにより、ユーザはインテリアコーディネータが間取り図にコーディネートした単数または複数の個別物品を閲覧することができる。
【００５１】
（システム全体動作概要）
図６はシステム動作全体概要図である。
図６に示されているとおり、動作の全体概要は、スタート：ＳＴＥＰ１、ログイン：ＳＴＥＰ２、間取り図：ＳＴＥＰ３、間取り図及び広告：ＳＴＥＰ４、エンド：ＳＴＥＰ５の順で処理される。次に各ＳＴＥＰ１〜５について詳説する。
【００５２】
（スタート：ＳＴＥＰ１、ログイン：ＳＴＥＰ２）
スタート：ＳＴＥＰ１、ログイン：ＳＴＥＰ２について、図７のフローチャート図および図８〜図１２の画面図を用いて以下説明する。
【００５３】
本実施例では、ユーザ端末２が、間取りシステムサーバ１のアプリ提供情報記憶手段６からアプリケーションをインストールした状態として説明する。
【００５４】
図７のフローチャート図のスタート画面：ＳＴＥＰ１は、図８のスタート画面図１００に対応している。
ユーザ端末２に表示されたスタート画面図１００には、アプリケーションのスタートを告知すること及びアプリケーションの紹介文を有するスタート表示１０１が表示され、アプリケーションに入るためのエンターボタン１０２が表示される。ユーザ端末２にてエンターボタン１０２を選択すると、ログイン画面２００ａが表示される。
【００５５】
図７のフローチャート図のログイン画面Ｓ１０１は図９のログイン画面２００ａに対応している。
ログイン画面２００ａは、すでに登録済みのユーザＩＤ２０１ａ、及び、Ｌｏｇｉｎ  Ｐａｓｓｗｏｒｄ２０２ａを入力しエンターボタン２０３ａを選択すると、間取り図取込、各部の寸法が記入された間取り図生成などの本アプリケーションの主目的である機能が利用可能となる。
【００５６】
ユーザ登録をしていない場合は、新規登録ボタン２０４ａを選択して、ユーザ登録を行う。
図１０のユーザ登録画面２００ｂ（図７のフローチャート図ではＳ１０２）には、ユーザＩＤ２０１ｂ、Ｅ−ｍａｉｌアドレス２０２ｂ、Ｌｏｇｉｎ  Ｐａｓｓｗｏｒｄ２０３ｂを登録する。登録するユーザＩＤ２０１ｂはニックネームなどのユーザが適宜選択した名前でよい。
ユーザＩＤ２０１ｂ、Ｅ−ｍａｉｌアドレス２０２ｂ、Ｌｏｇｉｎ  Ｐａｓｓｗｏｒｄ２０３ｂを登録した後に、次へボタン２０４ｂを選択するとユーザ詳細登録画面２００ｃの画面が表示される。
【００５７】
図１１のユーザ詳細登録画面２００ｃには、ユーザの姓名２０１ｃ、年齢２０２ｃ、家族構成２０３ｃ、好みのインテリア２０４ｃ、好みの色調２０５ｃなどユーザのより詳細な属性情報を記入できる欄が表示される。
ユーザ詳細登録画面２００ｃの各欄（２０１ｃ〜２０５ｃ）への記入は任意であり、１つだけ記入することや、全て記入しなくても本アプリケーションの主目的である機能は利用可能である。
また、ユーザ詳細登録画面２００ｃの詳細情報登録項目として、ユーザの姓名２０１ｃ、年齢２０２ｃ、家族構成２０３ｃ（妻、子供１人（娘）など）、好みのインテリア２０４ｃ（英国テイスト、アジアンテイストなど）、好みの色調２０５ｃ（モノトーン、ダークなど）を例示したが、詳細情報登録項目は適宜追加することができ、他の本実施例に有益な詳細情報登録項目は全て含まれるものとする。
【００５８】
ユーザ詳細登録画面２００ｃの各項目に記入するメリットは、例えば、家族構成２０３ｃ、好みのインテリア２０４ｃ、好みの色調２０５ｃなどを登録しておくことにより、よりユーザの嗜好に合った個別物品の広告を配信でき、ユーザにとっても嗜好に合った個別物品の広告が表示されるため、例えば引っ越しの際に購入すべき個別物品の選択がしやすくなる。
【００５９】
ユーザ詳細登録画面２００ｃの登録完了ボタン２０６ｃを選択すると、ユーザ登録が完了する。このユーザ登録（ユーザ登録およびユーザ詳細登録の情報）は、ユーザ情報登録手段７に格納される。
【００６０】
ユーザ登録が完了し、ログイン画面２００ａは、すでに登録済みのユーザＩＤ２０１ａ、及び、Ｌｏｇｉｎ  Ｐａｓｓｗｏｒｄ２０２ａを入力しエンターボタン２０３ａを選択すると、ログイン後画面２００ｄ（図７のフローチャート図ではＳ１０３）が表示される。
【００６１】
図１２のログイン後画面２００ｄには、図１２に図示されているように、ログインＩＤ２０１ｄ、ユーザ登録画面２００ｂおよびユーザ詳細情報登録画面２００ｃにて登録したユーザ属性情報２０２ｄ、２０３ｄが表示される。ログイン後画面２００ｄにてユーザが自身の登録情報を確認することができる。
【００６２】
ユーザの登録情報を変更したい場合は、登録変更ボタン２０５ｄを選択すると、ログイン後画面２００ｄ上で、または、ユーザ登録画面２００ｂおよびユーザ詳細情報登録画面２００ｃに戻りユーザの登録情報を変更することができる。
例えば、後述する広告表示の際に、ユーザの嗜好に合った広告が表示されない場合は、年齢２０２ｃ、家族構成２０３ｃ、好みのインテリア２０４ｃ、好みの色調２０５ｃの登録を行うこと、登録変更を行うことにより、ザの嗜好に合った広告が表示されるため、ユーザの登録変更によるメリットがある。
【００６３】
間取り図画面へボタン２０４ｄを選択すると、間取り図取込・書込画面３００（図１３のフローチャート図ではＳ３０１）が表示される。
【００６４】
（間取り図：ＳＴＥＰ３）
間取り図：ＳＴＥＰ３について、図１３のフローチャート図、図１４の画面図を用いて以下説明する。
【００６５】
図１４の間取り図取込・書込画面３００（Ｓ３０１）は、ユーザ端末２に格納された間取り図の取り込みを実行する間取り図取込ボタン３０１と、間取り図を書き込むための図示しない枠線、ドア、窓などの間取り図を記載するために必要なコンポーネントが表示され、間取り図３０３を図１４の間取り図３０３が表示されている間取り図領域３０８に書き込むことができる書込用コンポーネント３０２と、ユーザ端末２から取り込まれた、又は、書込用コンポーネント３０２を用いて書き込まれた間取り図３０３と、間取り図３０３の少なくとも一か所に引出し線を引き、引出し線に計測値である寸法（ドアが８５ｃｍなど）を記載する入力手段３０４と、寸法入力３０４の引出し線と引出し線の寸法を表示する寸法表示３０５と、物件間取り図寸法情報記憶手段９にアクセスし、物件の住所、マンション名などから間取り図を検索できる検索手段３０６と、上記間取り図取込・書込画面３００の入力後に選択する次へボタン３０７と、間取り図が表示される領域である間取り図領域３０８と、を有している。
【００６６】
入力手段３０４によって入力される測定値は、実際の物件にて、例えばドアの寸法を巻き尺で実測すること、実際の物件にてスマートフォンの測定アプリケーションを用いて実測することなどにより得られる測定値である。
【００６７】
図１４の間取り図取込・書込画面３００の間取り図領域３０８には間取り図３０３が記載されているが、間取り図の取込または書込をする前は、間取り図領域３０８は空欄となっている。
【００６８】
図１４の間取り図取込・書込画面３００の段階で行われる処理を、図１３のフローチャート図にて以下説明する。
【００６９】
間取り図３０３の取込・書込を行ったかを問い合わせるステップＳ３０１と、
間取り図の取込・書込を行った場合（Ｙｅｓ）に、間取り図３０３は間取り図面記憶手段８に記憶されるステップＳ３０２と、
間取り図記憶手段８に記憶された間取り図３０３の少なくとも一か所に計測値を入力するステップＳ３０３と、
少なくとも一か所に計測値である寸法を入力された間取り図３０３を、次へボタン３０７が選択されたときに、寸法算出手段１０にて、入力された寸法と間取り図の寸法未記入部分とのサイズを比較した後に演算して、寸法未記入の寸法を算出するステップＳ３０４と、
算出された間取り図３０３各部の寸法を寸法記入手段１１にて間取り図３０３に記入するステップＳ３０５と、
各部の寸法を寸法記入手段１１にて記入された間取り図３０３を間取り図寸法記憶手段１２に記憶するステップＳ３０６と、
間取り図の取込・書込を行わなかった場合（Ｎｏ）に、あらかじめ（不動産の情報として）、住所、マンション名等の各物件情報に紐づけされた間取りの寸法情報が記憶された物件間取り図寸法情報記憶手段９に住所やマンション名などで間取り図があるか問い合わせるステップＳ３０７と、
物件間取り図寸法記憶手段９に問い合わせた間取り図があった場合（Ｙｅｓ）に、その間取り図の少なくとも一か所に寸法が記入されているか問い合わせるステップＳ３０８と、
間取り図の少なくとも一か所に寸法が記入されていた場合（Ｙｅｓ）に、間取り図の全てに寸法が記入されているか問い合わせるステップＳ３０９と、
間取り図の全てに寸法が記入されていた場合（Ｙｅｓ）に、その間取り図を間取り図寸法記憶手段１２に記憶するステップＳ３０６と、
物件間取り図寸法記憶手段９に問い合わせた間取り図がなかった場合（Ｎｏ）にエンドとなるステップＳ５０１に移行するステップと、
物件間取り図寸法記憶手段９に問い合わせた間取り図があり（Ｙｅｓ）に、その間取り図の少なくとも一か所に寸法が記入されていなかった場合（Ｎｏ）に、図面記憶手段８に記憶されるステップＳ３０２に移行するステップと、
物件間取り図寸法記憶手段９に問い合わせた間取り図があり（Ｙｅｓ）に、その間取り図の全部に寸法が記入されていなかった場合（Ｎｏ）に、寸法算出手段１０にて未記入の寸法を算出するステップＳ３０４に移行するステップと、を有する。
【００７０】
図１４の間取り図取込・書込画面３００の段階で上記の処理が行われており、これらの処理が終了、すなわち次へボタン３０７が選択され、各部の寸法を寸法記入手段１１にて記入された間取り図３０３を間取り図寸法記憶手段１２に記憶するステップＳ３０６が終了したら、図１５のフローチャート図Ｓ４０１に移行する。
【００７１】
（間取り図及び広告：ＳＴＥＰ４、エンド：ＳＴＥＰ５）
間取り図及び広告：ＳＴＥＰ４、エンド：ＳＴＥＰ５について、図１５のフローチャート図、図１５〜図１７の画面図を用いて、以下説明する。
【００７２】
図１５の間取り図寸法・広告画面４００ａには、各部の寸法を記入された間取り図４０１ａと、各部の寸法４０２ａと、広告企業サーバ４から直接、及び／又は、広告企業サーバ４から広告情報２４が間取り図システムサーバ１に配信され、間取り図４０１ａ、ユーザの登録情報（嗜好など）から広告関連手段１４で関連付けされ広告配信手段１５によりユーザ端末に配信されたバナー広告４０３ａと、
間取り図システムサーバ１の個別物品自動選択手段１６に個別物品の選択を依頼するＡＩ依頼ボタン４０５ａとインテリアコーディネータに個別物品の選択を依頼するインテリアコーディネータ依頼ボタン４０６ａとユーザの希望（こういう個別物品が欲しいなど）を記載可能な希望記載欄４０７ａとを有する依頼領域４０４ａと、
間取り図４０１ａの算出された各部の寸法が測定値と異なる場合があるなどの免責事項が記載された免責事項記載４０８ａと、
を、有している。
また、図示しないカーソルでバナー広告に表示された個別物品を選択すると個別物品の形状、色、価格などの詳細情報と、図示しない個別物品購入ボタンが表示される。これによりユーザは選択された全ての個別物品の詳細情報が閲覧でき、好きな個別物品だけを選択して購入することができる。
【００７３】
図１６のＡＩコーディネート提案画面４００ｂは、ユーザ端末２にてＡＩ依頼ボタン４０５ａが選択されると、間取り図システムサーバ１の個別物品自動選択手段１６が個別物品の選択し、ユーザ端末２に表示される画面図である。選択された複数の個別物品（ベッド、机、本棚、冷蔵庫）４０１ｂ、４０２ｂと、再度個別物品自動選択手段１６に個別物品の選択の処理を行わせる再度ＡＩ依頼ボタン４０３ｂと、インテリアコーディネータに個別物品の選択を依頼するインテリアコーディネータ依頼ボタン４０４ｂと、ＡＩコーディネート提案画面４００ｂを終了する終了ボタン４０５ｂと、を有する。
【００７４】
図１７のインテリアコーディネータ提案画面４００ｃは、ユーザ端末２にてインテリアコーディネータ依頼ボタン４０６ａが選択されると、インテリアコーディネータ端末５に依頼通知され、インテリアコーディネータが個別物品の選択をし、ユーザ端末に表示される画面図である。以下、図１６と重複する部分は省略する。インテリアコーディネータ提案画面４００ｃを終了する終了ボタン４０１ｃと、個別物品自動選択手段１６に個別物品の選択の処理を行わせるＡＩ依頼ボタン４０２ｃと、再度インテリアコーディネータに個別物品の選択を依頼する再度インテリアコーディネータ依頼ボタン４０３ｃと、を有する。
【００７５】
図１６のＡＩコーディネート提案画面４００ｂおよび図１７のインテリアコーディネータ提案画面４００ｃに表示された複数の個別物品のそれぞれは、図示しないカーソルで選択すると形状、色、価格などの詳細情報と、図示しない個別物品購入ボタンが表示される。これによりユーザは選択された全ての個別物品の詳細情報が閲覧でき、好きな個別物品だけを選択して購入することができる。
【００７６】
また、処理として、個別物品を自動的に選択するステップ（ＡＩ依頼ボタン４０５ａ入力）が実行された後に、間取り図に合った個別物品をインテリアコーディネータに選択を依頼するインテリアコーディネータ依頼ボタン４０６ａが表示され、個別物品をインテリアコーディネータに選択を依頼するステップが実行可能であり、また、個別物品をインテリアコーディネータに選択を依頼するステップ（インテリアコーディネータ依頼ボタン４０６ａ入力）が実行された後に、間取り図に合った個別物品をサーバ、又は、ユーザ端末の処理により、ユーザ端末に自動的に選択するＡＩ依頼ボタン４０５ａが表示され、個別物品を自動的に選択するステップを実行可能とするものとする。
【００７７】
本実施例では、ユーザ端末２にアプリケーションをインストールする態様であるが、本願発明の方法をクラウドサービスとし、ユーザ端末２はインターネットを通じてクラウドサービスを利用する方法にしてもよい。
【００７８】
本実施例では、インテリアコーディネータにインテリアコーディネートを依頼する旨が記載されているが、このインテリアコーディネータの定義には、例えば、ホームステージャーなども含まれ、間取りのインテリアをコーディネートする主体について全て含まれるものとする。
【符号の説明】
【００７９】
１  間取り図システムサーバ
２  ユーザ端末
３  インターネット
４  広告企業サーバ
５  インテリアコーディネータ端末
６  アプリ提供情報記憶送信手段
７  ユーザ情報登録手段
８  間取り図記憶手段
９  物件間取り図寸法情報記憶手段
１０  寸法算出手段
１１  寸法記入手段
１２  間取り図寸法記憶手段
１３  広告受信手段
１４  広告関連手段
１５  広告配信手段
１６  個別物品自動選択手段
１７  表示手段
１８  間取り図取込手段
１９  間取り図書込手段
２０  入力手段
２１  広告情報記憶手段
２２  広告情報選定手段
２３  広告情報配信手段
２４  広告情報
２５  インテリアコーディネート依頼受信手段
２６  インテリアコーディネート入力手段
２７  インテリアコーディネート送信手段
ＳＴＥＰ１スタート
ＳＴＥＰ２ログイン
ＳＴＥＰ３間取り図
ＳＴＥＰ４間取り図及び広告
ＳＴＥＰ５エンド
Ｓ１０１  ログイン画面
Ｓ１０２  ユーザ登録画面
Ｓ１０３  ログイン後画面
１００  スタート画面図
１０１  スタート表示
１０２  エンターボタン
２００ａ  ログイン画面
２０１ａ  ユーザＩＤ
２０２ａ  Ｌｏｇｉｎ  Ｐａｓｓｗｏｒｄ
２０３ａ  エンターボタン
２０４ａ  新規登録ボタン
２００ｂ  ユーザ登録画面
２０１ｂ  ユーザＩＤ
２０２ｂ  Ｅ−ｍａｉｌアドレス
２０３ｂ  Ｌｏｇｉｎ  Ｐａｓｓｗｏｒｄ
２０４ｂ  次へボタン
２００ｃ  ユーザ詳細登録画面
２０１ｃ  ユーザの姓名
２０２ｃ  年齢
２０３ｃ  家族構成
２０４ｃ  好みのインテリア
２０５ｃ  好みの色調
２０６ｃ  登録完了ボタン
２００ｄ  ログイン後画面
２０１ｄ  ログインＩＤ
２０２ｄ  ユーザ属性情報
２０３ｄ  ユーザ属性情報
２０４ｄ  間取り図画面へボタン
２０５ｄ  登録変更ボタン
３００  間取り図取込・書込画面
３０１  間取り図取込ボタン
３０２  書込用コンポーネント
３０３  間取り図
３０４  入力手段
３０５  寸法表示
３０６  検索手段
３０７  次へボタン
３０８  間取り図領域
Ｓ３０１  ステップ
Ｓ３０２  ステップ
Ｓ３０３  ステップ
Ｓ３０４  ステップ
Ｓ３０５  ステップ
Ｓ３０６  ステップ
Ｓ３０７  ステップ
Ｓ３０８  ステップ
Ｓ３０９  ステップ
Ｓ５０１  ステップ
４００ａ  間取り図寸法・広告画面
４０１ａ  間取り図
４０２ａ  各部の寸法
４０３ａ  バナー広告
４０４ａ  依頼領域
４０５ａ  ＡＩ依頼ボタン
４０６ａ  インテリアコーディネータ依頼ボタン
４０７ａ  希望記載欄
４０８ａ  免責事項記載
４００ｂ  ＡＩコーディネート提案画面
４０１ｂ  個別物品
４０２ｂ  個別物品
４０３ｂ  再度ＡＩ依頼ボタン
４０４ｂ  インテリアコーディネータ依頼ボタン
４０５ｂ  終了ボタン
４００ｃ  インテリアコーディネータ提案画面
４０１ｃ  終了ボタン
４０２ｃ  ＡＩ依頼ボタン
４０３ｃ  再度インテリアコーディネータ依頼ボタン
【要約】
【課題】間取り図に各部の寸法が記入され、間取り図に合った広告を配信する方法を提供する。
【解決手段】本願発明は、ユーザ端末と、サーバと、がインターネットに接続されており、ユーザ端末にて、間取り図に少なくとも一か所の前記計測値を入力されると、ユーザ端末に間取り図の各部の寸法が表示され、間取り図の寸法やユーザの生活や嗜好などに合った家具や家電等の個別物品の広告が配信される間取り図広告配信方法の発明である。
【選択図】図１【図１】
0006980940.tif 000002
【図２】
0006980940.tif 000003
【図３】
0006980940.tif 000004
【図４】
0006980940.tif 000005
【図５】
0006980940.tif 000006
【図６】
0006980940.tif 000007
【図７】
0006980940.tif 000008
【図８】
0006980940.tif 000009
【図９】
0006980940.tif 000010
【図１０】
0006980940.tif 000011
【図１１】
0006980940.tif 000012
【図１２】
0006980940.tif 000013
【図１３】
0006980940.tif 000014
【図１４】
0006980940.tif 000015
【図１５】
0006980940.tif 000016
【図１６】
0006980940.tif 000017
【図１７】
0006980940.tif 000018